Podtech/llm-jp-corpus-v4-ja_patent huggingface dataset:
(57)【要約】  【課題】      組み込まれたローラブラインド収納ケースを備えているかあるいは備えていないコンテナ壁と窓枠間の接合部を提供する。  【解決手段】  コンテナ壁開口部と窓枠との接続は、一方が窓枠、場合によってはローラブラインドと、もう一方がコンテナ壁開口部の縁部と機械的に接続されている、間に接続された周囲の組立枠組みを使用して行われる。【選択図】  図１
2004308416.tif 000002
【特許請求の範囲】
【請求項１】
ローラブラインド収納ケースとローラブラインドとを備えた、組み込まれた窓および／またはドア等を有するコンテナにおいて、
コンテナ壁（１）と窓枠（２）との間に、周面の組立枠組み(３)が設けられており、この組立枠組みが窓枠（２ａ）と接続されて組立ユニットを形成しており、かつ室側でコンテナの壁の厚さに適合可能な組立枠組み（３）に接続される当接ブラケット（４）を備えており、
この場合組立枠組み（３）の溝（３ａ）がその左右および下側でカバー形材（５）により閉じられており、
一方で、この溝が上側で開口しており、ローラブラインドの左の角部を収容しかつカバーしており、組立枠組み（３）がコンテナ壁(１)の開口部内へ取付ける前に、窓枠（２）およびローラブラインド収納ケース（６）と接続されて、組立ユニットを形成していることを特徴とするコンテナ。
【請求項２】
窓枠(２)の上側とこの窓枠に対向している組立枠組み（３）の上側との間に、ローラブラインド収納ケース(６)が取付けられていることを特徴とする請求項１記載のコンテナ。
【請求項３】
当接ブラケット（４）が組立枠組み（３）に、およびこの組立枠組みが窓枠に、弾性の係合フック（３ｂ）を介して窓枠（２）の接続トラフ（２ａ１）に係止されていることを特徴とする請求項１または２記載のコンテナ。
【発明の詳細な説明】
【技術分野】
【０００１】
本発明は、請求項１の上位概念に従ったコンテナに関する。
【背景技術】
【０００２】
コンテナ、例えば住宅用コンテナあるいは類似のもの、車庫、プレハブ住宅、ガーデンハウス等、言い換えれば、窓および／またはドアを含む薄い壁を有する建物は公知である。
【０００３】
このような建物の比較的薄い壁のために、ローラブラインド収納ケースとローラブラインドの取付けが極度に面倒でありかつ費用がかかる。コンテナ壁を窓枠に直接接続し、ローラブラインド収納ケースのための付加的な部分を窓開口部に設け、窓枠用の特殊な形状を組立かつ取付けるという試みを行なってきた。
【０００４】
このような問題の解決は不適当であり、さらに費用がかかることが明白である。
【発明の開示】
【発明が解決しようとする課題】
【０００５】
本発明の根底をなす課題は、コンテナ壁と組み込まれたローラブラインド収納ケースを備えているかあるいは備えていない窓枠間の接合部を提供することであり、この接合部は薄い壁の建物の場合には自在に組み込むことができ、かつ簡単に組立てることができる。
【課題を解決するための手段】
【０００６】
本発明により達成される長所は、特にいかなる特殊な形状をも回避することにある。むしろ普通の窓枠形状を使用してもよい。その他の長所は、コンテナのしばしば極端に薄い窓開口部に完全に取付け可能な、ローラブラインドケースを備えているかあるいは備えていない窓ユニットを簡単に組立てること、それと共にコンテナ、車庫、プレハブ住宅等の場合に本発明による対象物を汎用的に使用可能なことにある。さらに本発明による対象物を費用をかけずに組立てることが現場でもできることも付け加える。
【発明の効果】
【０００７】
本発明の構成による接合部は薄い壁の建物の場合には自在に組み込むことができ、かつ簡単に組立てることができる。
【発明を実施するための最良の形態】
【０００８】
本発明を、請求項に記載のように、図で示した実施例に基づいて以下に詳しく説明する。
【実施例】
【０００９】
図１からわかるように、通常の構造の窓は、窓枠２ａと窓の扉２ｂとから成り、間に接続された組立フレーム３を介して、組立枠組みのバネ性の係合フック１ｂが窓枠の接合トラフ２ａ１内で係止することにより、プレハブ式で作られた窓が、まず周囲の組立枠組み３と接続されて、組立ユニットを形成するように、コンテナ壁１に接続されている。引き続いて、このようにしてできた組立ユニットは、(図で左側から)コンテナの外側からコンテナの窓開口部内へ押し込まれ、内側から同時に異なる壁厚と許容誤差を補正する当接ブラケット４を用いて係止されかつ固定される。
【００１０】
ローラブラインド収納ケース６を取付けるために、この収納ケースは、通常の言い換えれば世間一般に普通の使用可能な窓形材から成る窓枠２ａの上稜部と組立枠組み３の上縁部との間に取付けられ、それによって再度組立ユニットが得られ、次いでコンテナ壁１の窓開口部に取付けられ、当接ブラケット４により固定されかつロックされる
それにより組立作業は終了となる。
【００１１】
カバー形材５は、排水用溝３ｈを覆うために組立枠組みの左右および下側に設けられている。上側には、ローラブラインド収納ケースの上縁部６ａを収容し、同時に外面的に覆うためにこの溝が必要である。このカバー形材は多室形材として形成されており、かつ当接ブラケット４用の溝３ａならびに窓枠２ａ用の係合フック３ｂ、封隙形材（外）３ｃと封隙形材（内）３ｄ用の溝をそれぞれ一つずつ、さらに窓枠２ａあるいはローラブラインド収納ケース６の縁部６ａ用のストッパ３ｅならびに固定アンカー用の溝３ｆと封隙テープ用の溝３ｇをそれぞれ一つずつ有している。
【００１２】
完全な組立ユニットは、窓枠と窓の扉、場合によってはローラブラインド収納ケースと組立枠組みと当接ブラケットとから成るが、好適にはプラスチックから成る。しかしさらに別の材料あるいは生産と用途に合わせた摺動材料の組み合わせを見出すこともできる。
【図面の簡単な説明】
【００１３】
【図１】コンテナと窓枠の接合部の断面図。
【図２】取付けられたローラブラインドを有する図１による接合部の断面図。
【図３】組立枠組みの断面図。
【符号の説明】
【００１４】
１      コンテナ壁
２ａ    窓枠
２ａ１  接続トラフ
２ｂ    窓の扉
３      組立枠組み
３ａ    当接ブラケット用係止溝
３ｂ    係合フック
３ｃ    封隙形材（外）
３ｄ    封隙形材（内）
３ｅ    ストッパ
３ｆ    固定アンカー用溝
３ｇ    封隙テープ用溝
３ｈ    排水用溝
４      当接ブラケット
５      カバー形材
５ａ    係合フック
６      ローラブラインド収納ケース
【図１】
2004308416.tif 000003
【図２】
2004308416.tif 000004
【図３】
2004308416.tif 000005
(57)【要約】      （修正有）【課題】カーテンやブラインドの役目を果たすフィルム等を二重ガラスの間に介在させることにより、外部への露出が無く、それらへのホコリの付着を防げるものであり、更にガラスの開口部を超えて窓枠内までフィルム等の幅を取り、遮光率の高いフィルムを用いて暗幕としても使用できる構成を提供する。【解決手段】建造物開口部である窓を二重ガラス枠とし、その二枚のガラス板３の隙間を５ｍｍ程度とし、介在させるフィルム等１の材質や厚さにより適度に隙間の幅を選ぶのが望ましい、枠の上部又は左右部に筒状のフィルム巻取り装置２を組み付け、フィルム等１を巻取りながらフィルム面を上下又は左右にスライドさせる。また、フィルム等１を着色又は、布、合成樹脂、化学繊維を張り合わせたもの又は、布を使用することにより、既存のカーテンやブラインドと同じように遮光効果、紫外線防止効果、熱線防止効果やデザイン性を得られる構成とする。【選択図】図１
2004308403.tif 000002
【特許請求の範囲】
【請求項１】
窓を二重ガラスとし、その隙間にガラス面とほぼ等しい大きさの可撓性のあるフィルム、該フィルムに着色を施した物、又は該フィルムに布、紙などそれに類するものを留めるか張り合わせた物を介在してなることを特徴とする二重ガラス窓。
【請求項２】
請求項１のフィルムに換わり布を使用した請求項１の二重ガラス窓。
【請求項３】
二重ガラス窓に於いて、左右、若しくは上下にそれぞれ巻取り軸を設け、該巻取り軸に各種の透過面を有するフィルムを捲回してなることを特徴とする請求項１の二重ガラス窓。
【発明の詳細な説明】
【発明の詳細な説明】
【産業上の利用分野】
【０００１】  本発明は、建造物の開口部である窓に於いて、遮光や色の変化を行うものである。
【背景技術】
【０００２】  従来、カーテンやブラインドを窓内側に別体として取り付けられている。
【発明が解決しようとする課題】
【０００３】  本発明の目的とするところは、従来の技術で述べたカーテンやブラインドでは、それらは建築物の内部に露出しており、年月と供にホコリなどを付着し、清掃を別に必要とするものであり、その繁雑さを除く事を目的とするものである。
【０００４】  また、カーテンやブラインドでの遮光時に於いては、その構造上カーテンやブラインドの隙間からの光の進入が避けにくい欠点があるものである。
【課題を解決するための手段】
【０００５】  上記課題を解決するための技術的手段は、建造物開口部である窓を二重ガラス枠とし、その二枚のガラス板の隙間を５ｍｍ程度とし、介在させるフィルム等の材質や厚さにより適度に隙間の幅を選ぶのが望ましい、枠の上部又は左右部に筒状のフィルム巻取り装置を組み付け、上記のフィルムを巻取りながらフィルム面を上下又は左右にスライドさせる構成とするものである。
【０００６】  また、上記のフィルムを着色又は、布、合成樹脂、化学繊維を張り合わせたものを使用することにより、既存のカーテンやブラインドと同じように遮光効果、紫外線防止効果、熱線防止効果やデザイン性を得られる構成とするものである。
【作用】
【０００７】  本発明の作用を説明すると、窓のガラス面全面をフィルムが覆うため、その時ガラス面を覆うフィルムの材質や遮光率によりカーテンやブラインドと同じように遮光効果やデザインを楽しむことができる。
【０００８】  しかも、枠の上下部または左右部に対になって取り付けられた筒状のフィルム巻取り装置を使って、色や遮光率の異なるパートを持つ長いフィルムを巻取りながらスライドさせることにより、一つの窓で任意の遮光性やデザイン性を楽しむことができる。
【０００９】  また、既存のカーテンやブラインドのような室内への出っ張りを無くし、窓際を大変すっきりとしたものにすることができる。
【００１０】  更に、清掃時に於いて、室内側と室外側のガラス面を二面洗浄するだけでよく、大変簡単なものである。
【実施例】  本発明の実施例を図面に基づいて説明すると、図１に於いて１はフィルム又は布、２は巻取り軸、３はガラス、４は窓枠、図２に於いて１はフィルム又は布、２は巻取り軸、３はガラス、４は窓枠である。
【発明の効果】
【００１１】  以上の如く本発明によれば、窓を二重ガラスとし、その隙間にフィルム等を介在させ、巻取り軸によりフィルム等を捲回しつつ窓の色や遮光率の変化が行える構成により、簡単に部屋の雰囲気を変えることができる。
【００１２】  本発明は、カーテンやブラインドの役目を果たすフィルム等を二重ガラスの間に介在させることにより、外部への露出が無く、それらへのホコリの付着を防ぐことの出来るものである。
【００１３】  更に、ガラスの開口部を超えて窓枠内までフィルム等の幅を取ることにより、遮光率の高いフィルム面がスライドしてきた時に隙間なく遮光でき、暗幕としても使用できる有用性の高いものである。
【図面の簡単な説明】
【図１】本発明を実施した二重ガラス窓の斜視図。
【図２】本発明を実施した二重ガラス窓の断面図。
【符号の説明】
１、フィルム又は布
２、巻取り軸
３、ガラス
４、窓枠
【図１】
2004308403.tif 000003
【図２】
2004308403.tif 000004
(57)【要約】【課題】衣類を着用したまま容易に脱衣でき、指先の細かい作業の必要性がなく、健常者のみならず老若男女を問わず多方面に幅広く使用ができ、素材を変えることによって他の用途を加味することも可能な汗取り用下着を提供する。【解決手段】首廻りの前側から下部の一部を除いて等しい幅で左右に分断された前身頃を、後側から後身頃をそれぞれ伸出し、尚且つ前身頃の両脇と後身頃の両脇とをそれぞれ開放し、もしくは容易に外せる接合具で両脇を接合したことを特徴とする。【選択図】    図１
2004308083.tif 000002
【特許請求の範囲】
【請求項１】
首廻りの前側から下部の一部を除いて等しい幅で左右に分断された前身頃を、後ろ側から後身頃をそれぞれ伸出し、尚且つ前身頃の両脇と後身頃の両脇とを開放し、もしくは容易に外せる接合具で両脇を接合したことを特徴とする汗取り用下着である。
【請求項２】
首廻りの前側から下部の一部を除いて等しい幅で左右に分断された前身頃と、両脇が開放された前後身頃を特徴とするもので、首廻り部分もしくは後首廻り部分に取り付けた突起部を引き抜くことによって容易に脱衣できることを特徴とする汗取り用下着である。
【請求項３】
従来の綿繊維が中心の主要素材だけでなく、その他の繊維を混紡した素材に代えることによって他の用途を加味することも可能な汗取り用下着である。
【発明の詳細な説明】
【０００１】
【発明の属する技術分野】
この発明は、衣類を着用したまま脱衣が出来る汗取り用下着に関するものである。
【０００２】
【従来の技術】
従来の下着は素材が一様で袖の有無にかかわらず両脇部が縫合されたものが通常であり、衣服を脱いでから脱着するのが一般的である。
【０００３】
【発明が解決しようとする課題】
この発明は衣類を着用したまま容易に脱衣でき、且つ指先の細かい作業の必要性がないので健常者のみならず、老若男女を問わず、多方面に幅広く使用ができ、従来の綿という主要素材だけでなく、その他の繊維を混紡した素材に代えることによって他の用途を加味することも可能な汗取り用下着を提供する。
【０００４】
【課題を解決するための手段】
この発明は前身頃の両脇と後身頃の両脇とを縫合せず開放したもので、前身頃の下部の一部を除いて前首廻りから下方に向かって中心部も大きく開放した形状で、首廻り部分もしくは後首廻り部分に取り付けた突起部を引き抜くことによって容易に脱着できることを特徴とする。尚且つ両脇は容易に外せる接合具を取り付けても目的は達成される。
【０００５】
【発明の実施の形態】
図１はこの発明の実施の形態を示す汗取り用下着の斜視図であり、図２は図１の汗取り用下着の平面図である。
【０００６】
図１において、本実施の形態の汗取り用下着１０は前身頃２と後身頃３から構成されており、綿全般、ニット生地、毛糸、医療用素材等の素材からできている。下着本体部１０は前首廻り部８の中心部から下部１まで切り込み６を入れ、分断された前身頃２と後首廻り部９から伸出した後身頃３の肩線７を縫合し、前脇部４と後脇部５を縫合せずに開放することにより作成されている。
【０００７】
この発明の汗取り用下着は後首廻り部９や前首廻り部８を持って上方に引き上げることにより、衣類を着用したまま容易に引き出すことができる。
【０００８】
【発明の効果】
首廻りの前側から下部の一部を除いて等しい幅で左右に分断されており、且つ両脇が全長にわたって開放されているので、衣類を着用したまま容易に引き出すことができ、指先の細かい作業の必要性がなく健常者のみならず、老若男女を問わず、容易に脱衣することができる。
【図面の簡単な説明】
【図１】この発明の実施の形態による汗取り用下着を示す斜視図である。
【図２】この発明の実施の形態による汗取り用下着を示す表面の展開図である。
【符号の説明】
１．  切り込み止め部
２．  前身頃
３．  後身頃
４．  前脇部
５．  後脇部
６．  前中心線
７．  肩線
８．  前首廻り部
９．  後首廻り部
１０．  汗取り用下着本体部
【図１】
2004308083.tif 000003
【図２】
2004308083.tif 000004
(57)【要約】      （修正有）【課題】首と胸だけを覆うマフラーでなく，寒さ，場所に応じ適時に耳，頬をも覆うことが出来て，肌に感触が良く，肌を傷つけることがなく，締め付けと解除の操作が簡単で便利なマフラーを提供する。【解決手段】マフラーの生地の中に，羽毛，スポンジ等を挿入し，首もとで左右のマフラーを随所の位置で引締め固定する装置として，マフラーの片側に，スポンジ板等を滑りにくい生地等で包んだ長方形板を設け，もう一方の片側に，その長方形板を通過させる枠を設け，随所の位置で固定するようにしたマフラー。【選択図】図５
2004308085.tif 000002
【特許請求の範囲】
【請求項１】
１、首と首下の胸のほか耳・頬も、適時に覆うことが可能なマフラー。
２、マフラーの生地の中に羽毛、スポンジ板等を挿入することにより軽量で縮小可能とし携帯にも利用できる便利なマフラー。
３、首もとで左右のマフラーを随所の位置で引締め固定させる装置としてマフラーの片側（［図１］▲３▼−１、▲４▼−１）にスポンジ板等を滑りにくい生地等で包んだ長方形板（以後下線部分を、長方形板に省略記載）を設け、もう一方のマフラー片側（［図１］▲３▼−２、▲４▼−２）にその長方形板を通過させる枠を設け、多少大きめにした長方形板をその枠を通過させる際、その枠が長方形板を締めつけることと、長方形板を包んだ生地等が滑りにくいためにマフラーを随所の位置で固定させることを可能としたマフラー
【発明の詳細な説明】
この発明は、従来のマフラーのように長い布地を首に巻き付けるだけのものでなく下記機能を有する合理的なマフラーである。
2004308085.tif 000003
首と胸だけを覆うマフラーでなく、寒さ、場所等に応じ適時に耳・頬に
2004308085.tif 000004
の２カ所（口の辺りは適時）で締めて随所の位置で固定をする方法の外
2004308085.tif 000005
スポンジ板等を使用しているので肌に感触が良く、肌を傷つけることが
2004308085.tif 000006
ことは頑固な締め付け固定でなく適度の締め付けで、締め付けと締め付
2004308085.tif 000007
−１の長方形板とそれを通す▲３▼−２、▲４▼−２の枠を各反対位置にして使
2004308085.tif 000008
胸、耳、頬を覆う基本的な形態で、飾り等を付して種々多用なマフラーとする。
【図面の簡単な説明】
【図１】の説明
１、▲１▼は耳と頬を覆ってマフラーを締める際にマフラーの締め付けに余裕を得るため後頭部と接する位置に割れ目を設ける。
２、▲２▼の線は、耳と頬を覆うマフラーの上部分と首と胸を覆う下部分とを分ける境界線で、適時に上部分と下部分とを容易に折曲げすることができるが、生地の中味が羽毛の場合は生地が柔らかく上下各部分が容易に折曲げができない場合は生地の中にスポンジ板等を挿入して上下各部分の折曲げを容易にできるようにする。
３、・▲３▼−１はマフラーを耳と頬を覆う場合、長方形板を▲３▼−２の部分より多少太い長方形板にして、▲３▼−２の部分に通過させる際▲３▼−２の枠が長方形板を圧迫し締め付けることと滑りにくい生地のため長方形板を随所の位置で固定させることができる。
・▲３▼−２は▲３▼−１の長方形板を通して随所の位置で左右のマフラーを口もとで締め付けて固定させるための部分で、やや堅めの滑りにくい生地をマフラーに取り付ける。
・▲３▼−３の部分は耳と頬を覆うマフラーの上部分が未使用の場合、▲３▼−１の長方形板も未使用で不安定な状態になるので、ひも等をマフラーに取付け長方形板を通し固定させる。
４、▲４▼−１、▲４▼−２、▲４▼−３は、左右のマフラーを顎下の首の位置で引き締めて固定するが、▲３▼−１、▲３▼−２、▲３▼−３の構造と用途の内容は同様で、▲４▼−１の長方形板が▲３▼−１に比べ長いので▲４▼−２、▲４▼−３の箇所を▲３▼−２、▲３▼−３に比べ２カ所設けた。
５、２重線、点線はマフラーの各種形態でその他の形態も含む。
【図２】の説明
・マフラー使用時、マフラーと接触する位置の人体名称を図面上に記載
・頬に当たる部分を内側に折畳むことにより頬を覆うマフラーの面積を調節することができる。
【図３】の説明
・上段図は▲３▼−１の長方形板が未使用時に▲３▼−３の部分に長方形板を通し、固定させた図である、▲４▼−１の場合長方形板が長いので［図１］▲４▼−３のようにこの部分を２か所設ける。
・下段図の右図は▲３▼−１の長方形板が▲３▼−２通過する際に▲３▼−２が長方形板を締め付けて固定をしている状態図である、▲４▼−１が▲４▼−２を通過する際も同様である。
・下段図の左側の２図は▲３▼−２の部分とマフラーとの間に長方形板を通すことが困難なために▲３▼−２の部分を少し持ち上げて長方形板を楽に通過させるため▲３▼−２の上部に紐等の取手を取り付けた図である、▲４▼−２も同様である。
【図４】の説明
・左図は人が耳と頬までマフラーをしているときの正面図、右図は左図から人を除いた正面図でマフラーの上・下段を［図１］の▲３▼−１と▲４▼−１の長方形板が▲３▼−２と▲４▼−２を通過して、マフラーの前面で随所の位置で締め付けて固定している状態図。
【図５】の説明
・左図は人が首と胸の部分にマフラーをしているときの正面図で、右図は左図から人を除いた正面図でマフラーの下段を［図１］の▲４▼−１の長方形板が▲４▼−２を通過して、マフラーの前面で随所の位置で締め付けて固定している状態図。
【図１】
2004308085.tif 000009
【図２】
2004308085.tif 000010
【図３】
2004308085.tif 000011
【図４】
2004308085.tif 000012
【図５】
2004308085.tif 000013
(57)【要約】【課題】この発明は、５本足指付きの靴下で、たとえば、片手、片足のマヒの人でも、靴下を簡単に履けるように工夫した靴下を提供する。【解決手段】靴下（１）に足指付近に開き口（２）を設け、切り離された前後に押え止め下の前（４）と押え止め下の後（５）を設け、上から布（３）を覆い、布（３）の裏側部分に押え止め上の前（６）と押え止め上の後（７）を設けたことを特徴とする。【選択図】  図１
2004308086.tif 000002
【特許請求の範囲】
【請求項１】
靴下（１）に足指付近に開き口（２）を設け、切り離した前後に押え止め下の前（４）と押え止め下の後（５）を設け、開き口（２）の上から布（３）を覆い、布（３）の裏側部分に押え止め上の前（６）と押え止め上の後（７）を設けた靴下。
【発明の詳細な説明】
【０００１】
【発明の属する技術分野】
この発明は、５本足指付きの靴下で、たとえば、片手、片足にマヒの人でも、靴下を簡単に履けるように工夫した靴下に関するものである。
【０００２】
【従来の技術】
従来、５本指靴下や指先減糸５本指付靴下などがあった。
【０００３】
【発明が解決しようとする課題】
これは次の様な欠点があった。
（イ）  靴下を履くとき、指袋に指を挿入する場合、指袋の位置を誤りやすかった。
（ロ）  片手、片足にマヒのある人が指袋に指を挿入するとき、指袋の位置を定めるのに時間がかかっていた。
本発明は、これらの欠点を除くためになされたものである。
【０００４】
【課題を解決するための手段】
靴下（１）の指付近に開き口（２）を設ける。
開き口（２）の前後に押え止め下の前（４）と押え止め下の後（５）を設ける。
開き口（２）の上を布（３）で覆う。
布（３）の裏側部分に押え止め上の前（６）と押え止め上の後（７）を設ける。
本発明は、以上の様な構成よりなる靴下である。
【０００５】
【発明の実施の形態】
以下、本発明の実施の形態について説明する。
（イ）  靴下（１）に指袋付近に開き口（２）を設ける。
（ロ）  開き口（２）の前後に押え止め下の前（４）と押え止め下の後（５）を設ける。
（ハ）  開き口（２）の上に布（３）で覆い、風の通りをさえぎる。
（ニ）  布（３）の裏面部分にも押え止め上の前（６）と押え止め上の後（７）を設ける。
（ホ）  押え止め下の前（４）と押え止め上の前（６）と押え止め下の後（５）押え止め上の後（７）をそれぞれ上下合致する様に装着する。
本発明は以上の様な構造で、この靴下を履くときは、開き口（２）が指袋側押え止め下の前（４）と押え止め上の前（６）を固定する。
もう一方側の押え止め下の後（５）と押え止め上の後（７）は開閉できる様にする。
開き口（２）の部位は靴を履いても支障のない様に足の甲より下方へ指袋付近に設定する。
【０００６】
【発明の効果】
指袋を確認することができ、挿入しやすい。
片手、片足にマヒのある人でも、簡単に靴下を履くことができる。
【図面の簡単な説明】
【図１】本発明の平面図である。
【図２】本発明の平面図である。
【図３】本発明の布（３）の裏面をあらわした平面図である。
【図４】本発明の要部の断面図である。
【符号の説明】
１  靴下
２  開き口
３  布
４  押え止め下の前
５  押え止め下の後
６  押え止め上の前
７  押え止め上の後
【図１】
2004308086.tif 000003
【図２】
2004308086.tif 000004
【図３】
2004308086.tif 000005
【図４】
2004308086.tif 000006
(57)【要約】      （修正有）【課題】従来の紙による手書きの医療用具依頼書並び歯科義歯の技工指示書では個人により詳細に記す者やそうでない者と差があり多くは後者であった。また製作に関わる重要な画像を製作者が入手することが難しく促す事も容易ではなかった。さらに書類の管理、保存が煩雑になりがちであったがこの課題を解消する為に医療用具並び歯科義歯の製作依頼書及び技工指示書の電子化システムを提供する。【解決手段】依頼書及び技工指示書の電子化により記入箇所に必須箇所を設けることで記入漏れを防ぐ事と必要とする画像の添付を促しさらに伝達、管理、保存を容易にする手段を有することを特徴とするシステムを設ける。【選択図】図１
2004272858.tif 000002
【特許請求の範囲】
【請求項１】
医療用具並び歯科義歯の製作依頼書及び技工指示書を電子化する手段と、前記依頼書及び技工指示書に詳細な画像を添付して電子メールにより製作者に依頼及び技工指示を行う事で依頼書及び技工指示書の容易な管理、保存を行うことが出来る事と紙資源の無駄を無くす特徴を有するシステム。
【発明の詳細な説明】
【０００１】
【発明が属する技術分野】
この発明は、医療用具並び歯科義歯の製作依頼及び技工指示を製作者に正確に伝える為に依頼及び技工指示内容を電子化する事により容易に画像が添付出来る事で依頼及び技工指示者と製作者が電子化された依頼書及び技工指示書により容易に伝達、管理、保存が出来るシステムである。
【０００２】
【従来の技術】
従来は、依頼並び技工指示者が手書きによる依頼書及び技工指示書の作成を行い製作者に渡されていましたが、内容の記入漏れ、判読の困難な物や正確な用語の成されていない物などが多く、また紙による書類の為に詳細な画像を別にして渡さなければならない煩わしさから中には、製作に重要な画像や情報を正確に伝えない事が多くありました。その為に製作物の調整の発生または、再製作を余儀なくする事もありました。また依頼書並び技工指示書の紛失も問題とされてきました。
【０００３】
【発明が解決しようとする課題】
従来の紙による方法では依頼並び技工指示が伝わり難く画像の現像に時間がかかる事から製作に間に合わずその事から画像による詳細な情報を製作者が受け取れなかったりと双方のコミュニケーション不足から結果的に患者にっとって不利益な事が発生していた。本発明はこの課題を解消する事を目的とするものである。
【０００４】
【課題を解決する為の手段】
上記の課題を解消する為、本発明により医療用具並び歯科義歯の依頼書及び技工指示書をパーソナルコンピューターで動作するソフトウエアー内のフォーマットに用意された記入箇所及びチェック項目に依頼及び技工指示内容の記入を行いそこに必須部分を設けることで記入漏れを防ぎ、同時にフォーマットに画像添付箇所を設けることにより画像添付を促す手段と電子メールにより製作者に送信する事で伝達、管理及び保存を容易にする手段を備えている。
【０００５】
【発明の実施の形態】
以下、発明の実施の形態を説明する。
（イ）．医療用具並び歯科義歯の依頼及び技工指示者は、ソフトウエアーのフォーマットに設けられた記入箇所及びチェック項目に記入を行い必要であればフォーマットに設けられた添付箇所に詳細な画像の添付を行い電子メールにより製作者に依頼並び技工指示を送信する。
（ロ）．製作者は電子メールにより依頼並び技工指示書を受け取り医療用具並び歯科義歯の製作を行い、依頼並び技工指示書の管理、保存を行う。
【実施例】
以下、本発明の実施例を図面に基づき詳細に説明する。
図１は医療用具依頼者並び歯科義歯の技工指示者と製作者間との依頼書及び技工指示書のやり取り及び管理、保存を示す。
【発明の効果】
以上説明したように、本発明によれば医療用具並び歯科義歯の製作依頼及び技工指示内容を必須項目に記入することで明確にし、さらに簡単に画像添付の行える機能を加える事により画像の添付を促す事が出来る様になる。その様に電子化された書類を電子メールで伝達する事により製作依頼書及び技工指示書と添付された画像の管理、保存が容易に行える様になる。
【図面の簡単な説明】
【図１】医療用具並び歯科義歯の依頼及び指示者と製作者間のやり取りを示すフローチャートである。
【図１】
2004272858.tif 000003
(57)【要約】      （修正有）【課題】マウス使用時、キーボードから手を離す必要があった。キーボードから手を離さずに使えるマウスを実現する。【解決手段】コンピューターユーザーに、マウスを使用する際にキーボード上から手を放す必要がない、新たなタイプのマウスを提供する。このマウスは、キーボードの一部に組み込まれるか、あるいはキーボードの上に搭載させることも可能である。ユーザーは、キーボード上のシリンダーを指で、回転及びスライディングさせることでマウス操作を行う。シリンダーは、キーボード上に搭載され、タイプの手を止めてマウスを使用するために手を伸ばす必要がない。このシリンダーは、キーボード上での親指の位置の近傍、あるいは、人差し指、薬指の届く範囲で、キーボードのキーの間に設計することができる。本発明は、カーソルの位置付けが必要なデスクトップコンピューター、ラップトップコンピューター、ノートブックパソコンに適用できる。【選択図】図２
2004272863.tif 000002
【特許請求の範囲】
【請求項１】
本願は手の動作をシリンダーのオブジェクトの機械的な動作に変換する手段であり、前記オブジェクトは、軸の周囲を回転可能及び軸に沿ってスライディング動作が可能である手段を要求するものである。
他の態様では、シリンダー型オブジェクトは軸の周囲を回転しているが、軸に沿ってスライドするものではなく軸本体がキャリッジに搭載され、キャリッジがキーボードに設計されたパスに沿ってスライディング動作を行う。
２つの回転方向は、ポインターの上下動作に変換する手段であり、スライディング動作は、ポインターの左右に変換する手段である。又は、２つの回転方向は、ポインターの左右に変換する手段であり、スライディング動作は、ポインターの上下動作に変換する手段である。
他の態様では、軸がシリンダーと比較して非常に厚い場合、シリンダーはリングと同一となり、軸となる物体は棒となる。
【請求項２】
本特許出願はまた、軸及びシリンダーがコンピューターキーボードの統合部を形成するか、或いはキーボード上に搭載されていることを要請するものである。軸及びシリンダーがキーボード上にあり、例えばスペースバーの前など容易に手が届く位置にある。他の態様においては、スペースバーに代替することも可能である。また別の態様では、ナンバーキーの下、クワティラインの上などキーボード上のキーの間に位置づけることも可能である。
【請求項３】
最後に本願は、シリンダーの回転、スライディング動作がシリンダーを今日のオプティカルマウスにて使用されているカメラ作動探知機、回転式マウスにて使用されているライトパスブロッキング装置に接続させてカーソルの移動に変換する方法を要請するものである。
【発明の詳細な説明】
本発明は、新しいタイプのコンピューターマウスを課題とする。本発明の目的は、他のコンピューターマウスと同じである。手を動かして表示画面中のポインターを移動させる。前記回転／スライディングキーボードマウスは、機械部分及び電子部分にわけられる。機械部分は、軸、シリンダー及び、コンピューターキーボード本体にしっかりと固定するための部品を有する。シリンダーは軸に沿って円滑な回転運動及びスライディング運動が可能である。ユーザーは、シリンダーを動かす。
シリンダーの回転運動に従ってカーソルは、上下に移動し、また同様にシリンダーの左右スライディング運動により、カーソルは、左右に移動する。
スライディング／ローリングキーボードマウスの電子部分が軸に沿ったシリンダーの回転及びスライディング運動を認識する。
電子部分は一般のオプティカルマウスの回路を利用しており、カメラチップ、ヴィデオチップ，インターフェーシングチップ及びパッシブ部品により、構成されている。本発明の新規性は、回路そのものではなく、回路の適用方法にある。
オプティカルマウスのカメラ及びその他の回路は、マウスの本体に組み込まれ、マウスパッドの表面に沿ってマウス本体とともに移動し、こうしてマウスパッド上のマウス全体の動作を認識する。
これと異なり、スライディング／ローリングキーボードーマウスでは、カメラとその他の回路は、キーボードに組み込まれ、固定されているため、動かない。カメラは、シリンダー方向に向いている。シリンダー回転時、回転方向によってオプティカルマウスが上下に移動しているかのように、カメラがシリンダーの表面を認識する。
シリンダーが軸に沿ってスライドする際、カメラは左右に移動しているかのように、シリンダーを認識する。
シリンダーの動作を電子シグナルに変換させるもう１つの方法は、ボールマウスの古きよき技術を利用することである。ボールマウス技術は、認識装置と出力装置の間に孔を有する回転ダイアルを用いて、光線のパスを切断して電子インパルスを作り出す。
可能な形態としては図を参照のこと。
マウスのボタンは、自由に決めることができる。
キーボードの既存のキーを使用するか、新たなキー或いはボタンを決めることも可能である。一般的に、マウスボタンは、左、右、中心、左側、右側マウス及び、ローラーマウス上のローラーの役割を果たすための、ひとつ余分なボタンが必要である。
ローラーボタンを押すことにより、シリンダーは、ローラーの機能を果たす。そのため、ローラーボタンは、シリンダーを回転させている手が容易に届く位置にあるべきである。このようにしてホームページや書類を見ながら片手で操作が可能となるのである。
【図１】
2004272863.tif 000003
【図２】
2004272863.tif 000004
【図３】
2004272863.tif 000005
【図４】
2004272863.tif 000006
【手続補正書】
【提出日】平成15年8月7日(2003.8.7)
【手続補正１】
【補正対象書類名】明細書
【補正対象項目名】図面の簡単な説明
【補正方法】追加
【補正の内容】
【図面の簡単な説明】
【図１】カメラを用いた回転／スライディングマウス。シリンダーは軸上をスライドする。
【図２】ダイヤルを用いた回転／スライディングマウス。シリンダーは軸に固定され、軸が搭載ハードウェア上をスライドする。
【図３】デスクトップのキーボード上のスペースバーの下に搭載された回転／スライディングマウス。
【図４】ノートブックパソコン上のクワティライン上に搭載された回転／スライディングマウス。
【符号の説明】
１．搭載ハードウェア
２．軸
３．シリンダー
４．カメラ
５．ダイヤル
６．光探知機




【外国語明細書】
2004272863.tif 000007
2004272863.tif 000008
2004272863.tif 000009
2004272863.tif 000010
2004272863.tif 000011
(57)【要約】【課題】従来の技術では、立体構造安定化蛋白質を作製するためには、試行錯誤的に取り組むため莫大な時間とコストがかかっていた。【解決手段】このソフトの使用により、蛋白質を構成する二次構造の不安定領域の検索と、二次構造を安定化するアミノ酸残基の提示が可能となった。よって、立体構造安定化蛋白質の作製にかかる時間とコストの大幅な削減が可能となる。【選択図】図１
2004272867.tif 000002
【特許請求の範囲】
【請求項１】
蛋白質の立体構造の安定化を図るために、その蛋白質の安定二次構造のデザインをアミノ酸配列から行うことを特徴とするソフトウエア。
【請求項２】
構造安定化蛋白質を開発する際に、その蛋白質を構成する二次構造上の不安定領域をアミノ酸配列から的確に検索するとともに、不安定化の原因となっているアミノ酸残基を安定にするためのアミノ酸残基として決定することを特徴とする請求項１記載のソフトウエア。
【請求項３】
構造安定化蛋白質を開発する際に、ターゲットとなる蛋白質を構成する二次構造に着目し、α−ヘリックス構造およびβ−ストランド構造の、それぞれの境界領域において、二次構造が不安定化するアミノ酸配列を検索する。また、不安定化の原因となっているアミノ酸残基を、他の１９種類のアミノ酸残基に置換した場合のそれぞれの二次構造安定化スコアが明記され、その中で特に二次構造を安定化するに相応しいアミノ酸残基を選定することを特徴とする請求項１記載のソフトウエア。
【発明の詳細な説明】
【０００１】
【発明の属する技術分野】
この発明は、有用な機能をもつ蛋白質を遺伝子工学で開発する際、部位特異的変異を行うためのアミノ酸配列の設計に関する。
【０００２】
【従来の技術】
従来の技術では、蛋白質の立体構造の安定化を目的としてアミノ酸配列の変異導入部位を決定する際、任意にアミノ酸配列を置き換えた変異蛋白質を実際に作製し、蛋白質の立体構造や機能活性を評価した後に変異導入の是非を問う場合がほとんどであり、試行錯誤的に取り組むことが多い。
【０００３】
【発明が解決しようとする課題】
しかしながら、以上の従来技術によれば、構造安定化蛋白質を作製する場合、試行錯誤的に取り組むため、莫大な時間とコストがかかっているのが実情であった。
そこで、この発明は、蛋白質を構成する二次構造が不安定化するアミノ酸配列を的確に検索するとともに、二次構造が安定化するアミノ酸残基として変異導入部位の決定を提供することを課題とする。
【０００４】
【課題を解決するための手段】
以上の課題を解決するために、請求項１の発明は、構造安定化蛋白質を開発する際に、その蛋白質を構成する二次構造のアミノ酸配列をデザインすることを特徴とするソフトウエアである。
また、請求項２の発明は、構造安定化蛋白質を開発する際に、その蛋白質を構成する二次構造のアミノ酸配列の不安定領域を的確に検索するとともに、二次構造を安定化するアミノ酸残基を決定することを特徴とするソフトウエアである。
【０００５】
【発明の実施の形態】
この発明の一実施形態を、図１に示す。ａでは、構造安定化したい蛋白質のアミノ酸配列を入力する。すでに蛋白質の立体構造が明らかな場合、あるいは二次構造領域が確定している場合は、補足情報としてｂのソフトウエアに入力する。
【０００６】
二次構造であるα−ヘリックス構造およびβ−シート構造の両末端領域のうち、不安定領域と推測される配列を入力した配列の全アミノ酸残基について、二次構造安定度を数値化してスコア表示する。同時に、アミノ酸配列の残基毎に、他の１９種類のアミノ酸に置換した場合についても、スコア表示する。こので、スコアが特に低いマイナス表示されているアミノ酸残基が二次構造を不安定にすると考えられる。
【０００７】
したがって、二次構造を不安定にしている箇所について、他の１９種類のアミノ酸残基の中から、スコアの高いアミノ酸残基が部位特異的変異の候補として複数のアミノ酸残基があげられ、この選択方法によってｃの置換するアミノ酸残基が任意に決定でき、このデータに従って、ｄの構造安定化蛋白質の作製が可能となる。
【０００８】
「実施形態の効果」
この実施形態によれば、蛋白質のアミノ酸配列を入力すると、その二次構造の不安定領域としてのアミノ酸配列を的確に検索するとともに、二次構造を安定化するアミノ酸残基を提示するため、構造安定化蛋白質の開発に要する時間とコストが大幅に削減できる。
【０００９】
「他の実施形態」
この技術は、多くの機能性蛋白質、すなわち生体触媒の設計に応用され、蛋白質が利用されている化学、食品、医薬、農業などさまざまな分野の発展に貢献できる。
【００１０】
【発明の効果】
以上説明したように、この発明によれば、構造安定化蛋白質を作製するために、その蛋白質のアミノ酸配列を入力すれば、その二次構造の不安定領域を的確に検索するとともに、二次構造を安定化するアミノ酸残基を明記するため、実際に変異蛋白質の作製に費やす時間とコストの削減が可能となる。それにより、この技術は多くの生体触媒の設計に応用され、蛋白質が利用されている化学、食品、医薬、農業などさまざまな分野の発展に貢献できる。
【図面の簡単な説明】
【図１】この発明の一実施形態を示したフローチャートである。
【符号の説明】
ａ  ターゲット蛋白質のアミノ酸配列      ｂ  ソフトウエア
ｃ  個々のアミノ酸残基のスコア          ｄ  選択して決定した配列
ｅ  ｄのデータを基に作成した蛋白質
【図１】
2004272867.tif 000003
(57)【要約】【課題】機密印刷に際し、プリンタ側の簡単な操作でユーザー認証を行うことができる印刷システム、プリンタドライバ及び記憶媒体を提供する。【解決手段】パーソナルコンピュータ１とプリンタ２がネットワーク３で接続された印刷システムにおいて、パーソナルコンピュータ１のプリンタドライバは、プリンタ操作の組み合わせをデータ化し、パスワードとして印刷データと共にプリンタ２に送信する機能を有し、プリンタ２は、ユーザーによる操作の組み合わせがプリンタドライバから送信されたプリンタ操作の組み合わせと同じか否か判断し、同じ場合印刷を実行する機能を有する。【選択図】        図１
2004272483.tif 000002
【特許請求の範囲】
【請求項１】
パーソナルコンピュータとプリンタがネットワークで接続された印刷システムにおいて、パーソナルコンピュータのプリンタドライバは、プリンタ操作の組み合わせをデータ化し、パスワードとして印刷データと共にプリンタに送信する機能を有することを特徴とする印刷システム。
【請求項２】
請求項１記載の印刷システムにおいて、プリンタは、ユーザーによる操作の組み合わせがプリンタドライバから送信されたプリンタ操作の組み合わせと同じか否か判断し、同じ場合印刷を実行する機能を有することを特徴とする印刷システム。
【請求項３】
パーソナルコンピュータとプリンタがネットワークで接続された印刷システムにおけるパーソナルコンピュータのプリンタドライバであって、プリンタ操作の組み合わせをデータ化し、パスワードとして印刷データと共にプリンタに送信する機能を有することを特徴とするプリンタドライバ。
【請求項４】
請求項３記載のプリンタドライバプログラムが格納されたパーソナルコンピュータ読み取り可能な記憶媒体。
【発明の詳細な説明】
【０００１】
【発明の属する技術分野】
本発明は、パーソナルコンピュータとプリンタがネットワークで接続された印刷システム、プリンタドライバ及び記憶媒体に関するものである。
【０００２】
【従来の技術】
パーソナルコンピュータとプリンタがネットワークで接続された印刷システムが普及し、１つのプリンタを複数のユーザーで共有することが多くなってきている。このような背景から機密印刷機能を搭載したものが種種提案されている。
【０００３】
【発明が解決しようとする課題】
機密印刷に際し、文字や数字からなるパスワードが印刷データと共にパーソナルコンピュータから送られてきた場合、プリンタ側でその文字や数字を入力することになるが、一般的にプリンタにはキーが少なく、文字や数字を入力するには面倒な操作をしなければならないという不具合がある。
本発明は、機密印刷に際し、プリンタ側の簡単な操作でユーザー認証を行うことができる印刷システム、プリンタドライバ及び記憶媒体を提供することを目的とする。
【０００４】
【課題を解決するための手段】
上記目的を達成するために、請求項１記載の発明は、パーソナルコンピュータとプリンタがネットワークで接続された印刷システムにおいて、パーソナルコンピュータのプリンタドライバは、プリンタ操作の組み合わせをデータ化し、パスワードとして印刷データと共にプリンタに送信する機能を有する印刷システムを最も主要な特徴とする。
請求項２記載の発明は、請求項１記載の印刷システムにおいて、プリンタは、ユーザーによる操作の組み合わせがプリンタドライバから送信されたプリンタ操作の組み合わせと同じか否か判断し、同じ場合印刷を実行する機能を有する印刷システムを主要な特徴とする。
請求項３記載の発明は、パーソナルコンピュータとプリンタがネットワークで接続された印刷システムにおけるパーソナルコンピュータのプリンタドライバであって、プリンタ操作の組み合わせをデータ化し、パスワードとして印刷データと共にプリンタに送信する機能を有するプリンタドライバを最も主要な特徴とする。
請求項４記載の発明は、請求項３記載のプリンタドライバプログラムが格納されたパーソナルコンピュータ読み取り可能な記憶媒体を最も主要な特徴とする。
【０００５】
【発明の実施の形態】
以下、図面により本発明の実施の形態を詳細に説明する。
図１は印刷システムにおけるパスワードの内容を示す説明図である。本印刷システムは、パーソナルコンピュータ１とプリンタ２がネットワーク３で接続されることで構築されている。
そして、パーソナルコンピュータ１のプリンタドライバは、プリンタ操作の組み合わせをデータ化し、パスワードとして印刷データと共にプリンタ２に送信する機能を有する。
またプリンタ２は、ユーザーによる操作の組み合わせがプリンタドライバから送信されたプリンタ操作の組み合わせと同じか否か判断し、同じ場合印刷を実行する機能を有する。
図１に示すように、パーソナルコンピュータ１のプリンタドライバは、第２カセット開閉１回、第１カセット開閉２回、第２カセット開閉３回という手順で操作の組み合わせをデータ化する。プリンタ２でユーザーがその通りの操作をすれば、機密印刷が実行される。ユーザーが設定された通りの操作をしなければ、機密印刷は実行されない。
【０００６】
【発明の効果】
以上説明したように、本発明によれば、パーソナルコンピュータとプリンタがネットワークで接続された印刷システムにおいて、パーソナルコンピュータのプリンタドライバは、プリンタ操作の組み合わせをデータ化し、パスワードとして印刷データと共にプリンタに送信する機能を有し、プリンタは、ユーザーによる操作の組み合わせがプリンタドライバから送信されたプリンタ操作の組み合わせと同じか否か判断し、同じ場合印刷を実行する機能を有するので、機密印刷に際し、プリンタ側の簡単な操作でユーザー認証を行うことができる。またプリンタドライバプログラムが格納されたパーソナルコンピュータ読み取り可能な記憶媒体により、プリンタドライバに上記の機能を容易に持たせることができる。
【図面の簡単な説明】
【図１】印刷システムにおけるパスワードの内容を示す説明図である。
【符号の説明】
１  パーソナルコンピュータ、２  プリンタ、３  ネットワーク
【図１】
2004272483.tif 000003
(57)【要約】【課題】従来技術によれば、マウスのコードが邪魔になって操作し辛く、マウス自体を本体に収納できないことや、従来のコードレスマウスでは長時間の使用に対応できないこと、また操作スペースが最低でも一般的なマウスパッドほどの大きさが必要となること、利き手の違いによりマウス操作が問題となる事、初心者や手が少し不自由な人にとっては腕や肩に負担が掛り操作し辛い事があった。【解決手段】マウスをパソコン本体内蔵型の入力ペンにする事によって、パソコン本体内蔵の充電器で充電するため長時間の作業にも耐えると共に収納することができ、軽量型のためより小さなスペースで操作できる事や、入力ペンを持ちながらキー操作をすることもでき、マウス操作が従来より容易になるためより使い易く、腕や肩への負担も軽減される作りとなっている。【選択図】図１
2004272622.tif 000002
【特許請求の範囲】
【請求項１】
この入力ペンはパソコン本体内蔵ペン型コードレス入力装置であるためパソコン本体に内蔵されている充電器に収納して充電を行なうことが出来ることから、長時間の作業にも対応することができ、軽量型でマウスボールが小さいためより小さなスペースで操作する事やペンを持ちながらキー操作することができ、初心者や利き手を問わず、手の動かし難い高齢者及び障害を持つ人でも操作できることを特徴とする入力ペン装置である。
【発明の詳細な説明】
【０００１】
【発明の属する技術分野】
この発明は、パソコンに用いる入力装置の形状に関する。
【０００２】
【従来の技術】
従来のマウスでは図６が示すように、パソコンからコードがマウス本体１に接続されており、操作するためにはマウス本体下部のボール２を上下左右に動かし３の左ボタンと４の右ボタンそして５のドラッグを、クリックまたはドラッグさせて操作していた。
【０００３】
【発明が解決しようとする課題】
しかしながら、以上の従来技術によれば、マウスのコードが邪魔になって操作し辛い事、またマウス自体を本体に収納できない事、マウスがコードレスであってもすぐに電池交換が必要となる事、最低２２×１８ｃｍ程の移動範囲（一般的なマウスパッドの大きさ）が必要となる事、利き手の違いが問題となる事、初心者や手が少し不自由な人にとっては人差指と中指を特に使うため腕や肩に負担が掛り操作し辛い事があった。
そこで、この発明は、入力ペンがコードレスのペン型であるため本体に内蔵されている充電器に収納して充電することによって従来のコ−ドレスマウスよりも長時間作業する事ができ、省スペースで操作が可能であること、また利き手に関らず腕や肩に負担がかかりにくい入力ペンを提供することを課題とする。
【０００４】
【課題を解決するための手段】
以上の課題を解決するために、請求項１の発明は、入力ペンがパソコン本体内蔵ペン型コードレス入力装置であるためパソコン本体に内蔵されている充電器に収納して充電を行なうことが出来ることから、長時間の作業にも対応することができ、軽量型でマウスボールが小さいためより小さなスペースで操作する事や入力ペンを持ちながらキー操作することができ、初心者や利き手を問わず、手の動かし難い高齢者及び障害を持つ人でも操作できることを特徴とする入力ペン装置である。
【０００５】
【発明の実施の形態】
この発明の一実施形態を、図１〜５に示す。
（図１）入力ペン本体は、ペン形をしており通常のペンで用いられるプラスチックを素材とし、通常のペンと同じように持って使用する。（図２）パソコンと入力ペンは電波によって通信連動させ、パソコンの充電器に収納して充電できる作りとする。（図３）そして、この入力ペン本体１の先端にボール２が付けられ、３の部分を上下にノック式にしてボールをスライドさせることによって従来マウスの左ボタンのクリックとドラッグを実現し、（図４）  ４の部分を親指の付根で左右にノックする事によって従来マウスの右ボタンのクリックを実現させ、  （図５）  ５の部分を前後左右に動かしてスクロールをする作りとする。
【０００６】
「他の実施形態」
図１の実態形態によれば本体の素材をプラスチックとしたが、通常のペンで用いられるステンレスなどの素材でもよい。また、ペンの持ち手部分にすべり止めグリップをつけると、より操作しやすい。
また、パソコンと入力ペンの通信も電波としたが、赤外線や最新の光通信などのより感度の良い環境に適したものでもよい。
【０００７】
【発明の効果】
以上説明したように、この発明によれば、マウスのコードが邪魔になって操作し辛かった点がコードレスにする事によって操作し易くなり、ペン型にする事によってパソコン本体に内蔵されている充電器に収納し充電する事で従来のコードレスマウスよりも長時間の作業に耐える事が出来ること、また従来よりも省スペースでの操作ができ初心者や手の動きの不自由な人、利き手の違いなどに関わりなく操作し易く腕や肩への負担を減らす事が出来る。
【０００８】
入力ペンならノートパソコン上でも使う事が出来る。また現在最新の型として販売されているマウス＋タッチペンからのボード入力装置を一括すると共に、それらとは違ってコードレスで、充電でき、内蔵できる、など３段階発展させたものである。
【図面の簡単な説明】
【図１】この発明の一実施形態を示す斜視図である。
【図２】入力ペンをパソコン本体内蔵の充電器にて充電、収納でき、電波で連動させていることを示す図である。
【図３】マウスボールをスライドさせペンを上下にクリックさせて従来マウスの左ボタンの働きを示す図である。
【図４】入力ペン側面に付けられたボタンをクリックし従来マウス右ボタンの働きを示した図である。
【図５】入力ペン本体にスクロールを付けた図である。
【図６】従来技術を示す斜視図である。
【符号の説明】
１入力ペン本体
２マウスボール
３左ボタン相当部分
４右ボタン相当部分
５スクロール
６電波感知部分
７充電部分
８充電器
【図１】
2004272622.tif 000003
【図２】
2004272622.tif 000004
【図３】
2004272622.tif 000005
【図４】
2004272622.tif 000006
【図５】
2004272622.tif 000007
【図６】
2004272622.tif 000008